(57)【要約】【課題】  構造簡易にして軽量で送電線への巻き付け作業が軽微であり、運搬時には折り畳み圧縮されてコンパクトに収納され、運搬コストの低い鳥害防止具とその製造方法を提供すること。【解決手段】  所要線径で所要長さの巻き線１と、該巻き線１に所要間隔で配設される固定子２と、各固定子２の前記巻き線１と平行な端部にその外周の一部が埋設されるリング体３から成る。  また、接合部としては固定子２に代えて中心部に挿通孔を貫設したビーズで巻き線１とリング体３相互を接合したり、溶融状態で巻き線１とリング体３相互を接合し、強制冷却によって固定化するものもある。  このほか、前記リング体３に切断開口部１０を配設したものや、切断開口部１０にチューブ１１を係脱自在に被覆したものでも提供される。【選択図】  図１
2007060984.tif 000002
【特許請求の範囲】
【請求項１】
所要線径で所要長の巻き線と、該巻き線に所要間隔で配設される接合部と、該接合部に配設されるリング体とから成る鳥害防止具。
【請求項２】
前記接合部が、中心に巻き線を配設し、その上部及び／又は下部にリング体の一端部を添設し、両者を樹脂で接合成形したものである請求項１記載の鳥害防止具。
【請求項３】
前記接合部が、中心に所要径の挿通孔を貫設したビーズにおいて、該挿通孔に巻き線を８の字状に挿通するとともに、樹脂を注入して該巻き線の交差部をビーズに接合成形したものである請求項１記載の鳥害防止具。
【請求項４】
前記接合部が、溶融された樹脂を射出ノズルから射出した巻き線によって形成されるリング体の交差部における冷却成形体である請求項１記載の鳥害防止具。
【請求項５】
前記リング体の外周に切断開口部を配設して成る請求項１、２、３又は４記載の鳥害防止具。
【請求項６】
前記切断開口部をチューブで係脱自在に被覆して成る請求項５記載の鳥害防止具。
【請求項７】
射出成形機の射出ノズル及び／又は樹脂製品形状安定台をコンピュータで制御し、該射出ノズルから射出される所要線径の巻き線と、該巻き線のノズル運針描画制御によって形成される所要形状のリング体と、巻き線とリング体の交差部で形成される接合部とから成る鳥害防止具の溶融品を、ベルトコンベアで冷却水槽に移送して冷却成形し、該冷却水槽の外部に設ける巻き取り装置で鳥害防止具の成形品を巻き取って成る鳥害防止具の製造方法。
【発明の詳細な説明】
【技術分野】
【０００１】
本発明は、鳥が送電線や鉄塔、二次鉄構などの水平材に止まらぬようにこれらに巻き付けて、鳥の糞尿によるこれらの劣化防止や周辺環境の汚れ防止に資する鳥害防止具とその製造方法に関する。
【背景技術】
【０００２】
送電線における鳥害防止を図る技術としては種々提案されている。その中で、送電線に被着されて鳥害防止を図る技術としては、電線保護管Ａの外周面に多数本のバリヤー棒体９を放射状に突設した特開2000-55号公報（特許文献１）があり、被覆管１０の周囲に複数の凸状体２０を突設した特開2000-116304号公報（特許文献２）がある。電線に巻き付けて鳥害防止を図る技術としては、スパイラルチューブ３に形成された穴５に針状体７を多数装着する登録実用新案第3045775号（特許文献３）がある。
前記特許文献１、２に開示された技術は，何れも構造が複雑で送電線に被着する手間を多く要する上、構造的な嵩張りで運搬コストが嵩む問題点を内在し、特許文献３に開示された技術も同様に構造が複雑である上、送電線への巻き付けもスパイラルチューブの自重がその作業性を阻害し運搬コストも嵩高になるなどの問題点がある。
さらに、線状体と盤状体を要部とする鳥害防止具は特開2001-45954号公報（特許文献４）に開示されているが、特許文献４に開示された技術は、線状体２を送電線に巻き付けるものでなく、線状体２の両端を取付け具４で支え、取付け具４を電柱の腕金５に取り付けるもので、この線状体２を直接電線に巻き付けたとしても、線状体２に貫通されて取り付けられた盤状体３は直径6mmで、取り付けピッチ150mmであるとすることから、鳥の足には障害とならず、鳥は容易に線状体２の巻き付けられた送電線上に止まることができその防止効果は望めない。仮に盤状体３を大きくして電線に巻き付けたとしても巻き付ける際に盤状体３はその外周を電線に接触させることとなり、その結果盤状体３は捩れて電線と共に巻かれる姿勢となり、盤状体３に枝部を分岐させたとしても送電線上に足を止める空間を多く形成させることから、鳥の足には邪魔にならず、このものでも巻き線状態では鳥が止まるのを防止できない。
【特許文献１】特開２０００−５５号公報
【特許文献２】特開２０００−１１６３０４号公報
【特許文献３】登録実用新案第３０４５７７５号公報
【特許文献４】特開２００１−４５９５４号公報
【発明の開示】
【発明が解決しようとする課題】
【０００３】
本発明は、構造簡易にして軽量で送電線への巻き付け作業が軽微であり、運搬時には折り畳み圧縮されてコンパクトに収納され、運搬コストの低い鳥害防止具と該鳥害防止具の製造方法を提供する。
【課題を解決するための手段】
【０００４】
請求項１に記載した鳥害防止具は、所要線径で所要長の巻き線と、該巻き線に所要間隔で配設される接合部と、該接合部で、千鳥状及び／又は逆千鳥状に配設されるリング体とから成る。
また、請求項２に記載した発明は、請求項１に記載した鳥害防止具において、前記接合部が中心に巻き線を配設し、その上部及び／又は下部にリング体の一端部を添設し、両者を樹脂で接合成形したものから成る。
また、請求項３に記載した発明は、請求項１に記載した鳥害防止具において、前記接合部が中心に所要径の挿通孔を貫設したビーズにおいて、該挿通孔に巻き線を８の字状に挿通するとともに、樹脂を注入して該巻き線の交差部をビーズに接合成形したものである。
さらに、請求項４に記載した発明は、請求項１に記載した鳥害防止具において、前記接合部が溶融された樹脂を射出ノズルから射出した巻き線によって形成されるリング体の交差部における冷却成形体から成る。
請求項５に記載した発明は、請求項１、２、３又は４に記載した鳥害防止具において、前記リング体の外周に切断開口部を配設して成る。
請求項６に記載した発明は、請求項５に記載した鳥害防止具において、前記切断開口部をチューブで係脱自在に被覆して成る。
さらに、請求項７に記載した鳥害防止具の製造方法は、射出成形機の射出ノズル及び／又は樹脂製品形状安定台をコンピュータで制御し、該射出ノズルから射出される所要線径の巻き線と、該巻き線のノズル運針描画制御によって形成される所要形状のリング体と、巻き線とリング体の交差部で形成される接合部とから成る鳥害防止具の溶融品を、ベルトコンベアで冷却水槽に移送して冷却成形し、該冷却水槽の外部に設ける巻き取り装置で鳥害防止具の成形品を巻き取って成る。
【発明の効果】
【０００５】
本発明の鳥害防止具によれば、巻き線を送電線に巻き付けたときに、接合部にその一端部を埋設されたリング体は巻き線に干渉することなく送電線の外周域にランダムに配設されるから、鳥が送電線に止まろうとしても足が多数のリング体に邪魔されて落ち着くことができず、送電線は鳥が止まれないように保護され、送電線の短絡や糞尿による劣化などの鳥害が防止されること、また、足や首などが絡むときは鳥の暴れる力でリング体がその一部を分離して鳥を解放できること、さらにはリング体のランダムな姿勢と風圧による揺動で送電線への着雪が防止されること、このほか構造簡易にして軽量であるから送電線への巻き付け作業も軽微であり、コンパクトに折り畳み圧縮収納されるから運搬コストも低コストとなる効果がある。
また、本発明の鳥害防止具の製造方法においては、イニシャルコストはかかるが、一本の射出される巻き線を以て所要ピッチで各種形状のリング体を配設した鳥害防止具を簡易に製造できるから、そのランニングコストは極めて低コストのものとなり、量産向きで結果として安価に提供できる効果を奏する。
【発明を実施するための最良の形態】
【０００６】
リング体の外周に設ける切断開口部は、切断面が突き合わせ状のものから所要の間隔を開けて形成され、その配設個所は固定子に対して一端側のリング体のみならず、他端側のリング体にも設けられ、また、チューブとリング体の切断開口部との関係は、両端が係脱自在なものから一端のみ係脱自在とするものなどである。
本発明の鳥害防止具は着色したり蛍光剤や蓄光剤を塗布することにより渡り鳥に警戒させることができる。
【実施例】
【０００７】
本発明の鳥害防止具Ａを実施例により説明すると、図１に示すように、線径2mmの所要長さ（単位長さ1300mm）の巻き線１と、巻き線１に95mmのピッチで固定される長さ15mm、幅11mm、厚さ4.5mmの平扁状の接合部である固定子２と、固定子２の巻き線１と平行な幅方向の端部にその一端部が埋設される線径1mm、外径79mmのリング体３とから鳥害防止具Ａが構成される。
このようにして成る鳥害防止具Ａは、図２に示すように、電柱４、４間に張設された電線５に巻き線１が螺旋状に巻き付けられ、その前後端は電線５を挟んで折り返されてカシメ材（図外）で固定される。このように巻き線１が電線５に巻き付けられると、リング体３は固定子２の捩れ位置によってランダムな姿勢で電線５の外周域に張り出され、鳥の足場が失われる。無理に止まろうとしてもリング体３がヘタリ安定した足場を確保できないばかりか、足や首がリング体３に引っ掛りそれが恐怖となって二度と近寄らず、鳥の糞尿などによる電線５の劣化や周辺環境の汚れが防止され、いわゆる鳥害防止が図られる。このほか、図外の鉄塔間に張設される接地線や送電線、鉄塔の構造材である腕金や変電所の屋外鉄構などに巻き付けて使用され、前記と同様の鳥害防止が図られる。
【０００８】
巻き線１と固定子２とリング体３から成る簡易構造の鳥害防止具Ａの成形について、図３（ｂ）に示す成形型６の一部において説明すると、中央部に凹設された固定子用の凹部７に対して幅方向中央に巻き線用の溝８が各ピッチ毎の凹部７に連通して一連に掘設され、その上下にリング体３の一端部の円弧部を嵌め込む一対の円弧溝９がそれぞれ掘設され、溝８には所要長さの巻き線１が押し込まれ、上下の円弧溝９にはそれぞれリング体３の一端部が押し込まれて凹部７に合成樹脂が流し込まれる。その結果、この凹部７において固定子２が成形されるとともに、巻き線１も上下のリング体３も固定子２の中に埋設されて図３（ａ）のように形成される。この場合は、長尺な成形型６において、各凹部７の円弧溝９に対して千鳥状と逆千鳥状にリング体３を配設したもの（したがって、上下にリング体３が対向配設される。）であり、図５に示したものが各固定子２に対して千鳥状（この逆配設が逆千鳥状となる。）にリング体３を配設したもので、この状態の鳥害防止具Ｂも提供される。
【０００９】
図４に示したものは、図４（ｂ）に示すように、リング体３の外周中央部に所要幅で切断した切断開口部１０（切断端面が突き合わせ状に開口されるものもある。）が形成され、この切断開口部１０には図４（ａ）に示すように所要長さのチューブ１１が係脱自在に被覆（開口部１０が露出状態で使用されることもある。）される。本実施例ではリング体３の右方の円弧部で被覆したチューブ１１の右方を接着剤で接着固定して成り、鳥の足や首がリング体３に絡みついたときは、分図（ａ）の仮想線で示すように、鳥のもがく力でリング体３の左方がチューブ１１から外れ、鳥を解放できるようにしている。
前記したチューブ１１による被覆個所や切断開口部１０の配設個所を多くすると、リング体３のヘタリが鳥の足場を与え易くするから適宜に選択されて提供される。
また、図８に示した鳥害防止具Ａについて説明すると、このものは接合部１２として、前記の固定子２に代えてビーズ（カシメ材料に代えてもよい。）１３を使用したものに加えて、リング体３が巻き線１によって形成されたものである。
すなわち、図６の分図（ａ）に示すように、中心に所要径の挿通孔１４を貫設した球状のビーズ１３において、挿通孔１４に巻き線１が挿通され、図外の所要直径で上方に設けられる成形治具に巻き回され、次いで分図（ｂ）に示すようにビーズ１３の挿通孔１４に挿通され、図外の所要直径（前記直径と同径）で下方に設けられる成形治具に前記と逆方向に巻き回され、次いで分図（ｃ）に示すように巻き線１が再度挿通孔１４に挿通され、結果的に８の字状に三度挿通孔１４に挿通されて一本の巻き線１によって上下に二つのリング体３が形成され、順次に所要ピッチで配設される成形治具に倣って上下一対のリング体３が形成されるのである。
そして、接合部１２においては図７に示すように、ビーズ１３の挿通孔１４で交差する巻き線１と巻き線１によって形成される上下一対のリング体３の各端部とが、挿通孔１４に注入される樹脂１５によって固定されるのである。
次に、本発明の鳥害防止具の製造方法について鳥害防止具の製造装置Ｃにより具体的に説明すると、図９に示すように、射出成形機１６において、樹脂ペレットホッパー１７から樹脂溶融混和室１８に供給されるペレットは、電動機１９で駆動される押出しスクリュー２０によって押し出されつつ、ヒーター２１によって溶融され、かつ、混和されて樹脂溶融混和室１８の先端のフレキシブルホース２２を経て射出ノズル２３から射出されるが、このとき射出ノズル２３はノズル平面移動装置２４の制御コンピュータ２５によるノズル運針描画制御によって、所要の線径の巻き線１と、一連の８の字状の運針によるリング体３を樹脂製品形状安定台２６の上に形成し、該安定台２６を所要ピッチ駆動して直線状の巻き線１を形成し、順次に射出ノズル２３を制御して直線状の巻き線１に対してその上下に所要ピッチでリング体３を配設した鳥害防止具溶融品が形成される。
この鳥害防止具溶融品はベルトコンベアー２７に移送されて冷却水槽２８の中に入れられ、強制冷却されて巻き線１と両リング体３の交着する接合部１２は一体に接合され、冷却水槽２８の外部に設けたアイドラー２９を介して製品となった鳥害防止具Ａを巻取り装置３０に巻き取るものである。
したがって、本製造方法によれば、リング体３の形状が種々選択できることと、接合部１２形成が溶融状態の冷却によって簡易になされること、さらには巻き線１の線径やリング体３の配設ピッチなどを広範な自由度で変更できることなど多くの実用性を有する。
このほか、本製造方法では樹脂溶融工程で着色剤は勿論のこと、蛍光剤や蓄光剤の添加も容易となり、製品としての鳥害防止具Ａは、鳥類から見る視認性が改良され、薄暮時の鳥類衝突や接近の防止が図られる。
このほか本発明の鳥害防止具Ａは、降雪時に電線５に付着しようとする雪がリング体３を介して積雪し、風圧によるリング体３の揺動で雪が落下し、電線５へ着雪が軽減される付帯効果がある。
【産業上の利用可能性】
【００１０】
本発明の鳥害防止具は、構造簡易で軽量なことから送電線への取り付け作業が軽微な上、折り畳み圧縮梱包可能なため、その需要は一般電線は勿論のこと高圧送電線や変電所の二次鉄構、鉄塔などへの取り付けにも及び、製造面ではプラスチック業界や金型業界にも広く波及する技術である。
また、本発明の鳥害防止具の製造方法にあっては、射出成形業界を活性化する技術として貢献する。
【図面の簡単な説明】
【００１１】
【図１】本発明の鳥害防止具Ａの部分平面図。
【図２】本発明の鳥害防止具Ａの使用状態の説明図。
【図３】本発明の鳥害防止具Ａの要部の成形説明図で、分図（ａ）は成形後の要部の部分平面図、分図（ｂ）は成形型６の一部を切断した部分斜視図。
【図４】リング体３に切断開口部１０を設けた説明図で、分図（ａ）は切断開口部１０をチューブ１１で係脱自在に被覆した説明図、分図（ｂ）は切断開口部１０を露出した状態の説明図。
【図５】所要数配設される固定子２に対してリング体３を千鳥状に埋設して成る鳥害防止具Ｂの部分平面図。
【図６】本発明の鳥害防止具Ａの他の実施態様における工程説明図であり、分図（ａ）は第１挿通工程図、分図（ｂ）は第２挿通工程図、分図（ｃ）は第３挿通工程図。
【図７】接合部の部分拡大説明図。
【図８】本発明の鳥害防止具Ａの他の実施態様を示す部分平面図。
【図９】本発明の鳥害防止具の製造方法を実施する鳥害防止具の製造装置Ｃの説明図。
【符号の説明】
【００１２】
１：巻き線
２：固定子
３：リング体
４：電柱
５：電線
６：成形型
７：凹部
８：溝
９：円弧溝
１０：切断開口部
１１：チューブ
１２：接合部
１３：ビーズ
１４：挿通孔
１５：樹脂
１６：射出成形機
１７：樹脂ペレットホッパー
１８：樹脂溶融混和室
１９：電動機
２０：押出しスクリュー
２１：ヒーター
２２：フレキシブルホース
２３：射出ノズル
２４：ノズル平面移動装置
２５：制御コンピュータ
２６：樹脂製品形状安定台
２７：ベルトコンベアー
２８：冷却水槽
２９：アイドラー
３０：巻取り装置
Ａ、Ｂ：鳥害防止具
Ｃ：鳥害防止具の製造装置
【図１】
2007060984.tif 000003
【図２】
2007060984.tif 000004
【図３】
2007060984.tif 000005
【図４】
2007060984.tif 000006
【図５】
2007060984.tif 000007
【図６】
2007060984.tif 000008
【図７】
2007060984.tif 000009
【図８】
2007060984.tif 000010
【図９】
2007060984.tif 000011